(57)【要約】【課題】微細気泡を利用したシャワー及び洗浄装置を提供する。【解決手段】気体が溶解された溶解水を生成し、溶解水に微細気泡を発生させて洗浄効率が高く、且つ人体に無害なシャワー用水を提供するシャワーが開示される。シャワーは、圧力タンクと、先端部が給水管に直結され、末端部が前記圧力タンクの上端に連結され、用水を前記圧力タンクの内部に噴射させる用水供給管と、前記圧力タンクの内部に配置され、前記用水供給管により噴射される前記用水に前記圧力タンクの内部の気体を混合して前記用水に前記気体の溶解された溶解水を生成する溶解槽と、先端部が前記圧力タンクの下端に連結され、前記圧力タンクに貯留された前記溶解水の排出経路を提供する溶解水供給管と、前記溶解水供給管の末端部に結合されるシャワーヘッドと、を含む。【選択図】図３
2010533582.tif 000002
【特許請求の範囲】
【請求項１】
圧力タンクと、
先端部が給水管に直結され、末端部が前記圧力タンクの上端に連結され、用水を前記圧力タンクの内部に噴射させる用水供給管と、
前記圧力タンクの内部に配置され、前記用水供給管により噴射される前記用水に前記圧力タンクの内部の気体を混合して前記用水に前記気体の溶解された溶解水を生成する溶解槽と、
先端部が前記圧力タンクの下端に連結され、前記圧力タンクに貯留された前記溶解水の供給経路を提供する溶解水供給管と、
前記溶解水供給管の末端部に結合されるシャワーヘッドと、
を含むことを特徴とするシャワー。
【請求項２】
前記圧力タンクの上端に結合され、外部の気体を前記圧力タンクの内部に供給する吸い込み管をさらに含むことを特徴とする請求項１に記載のシャワー。
【請求項３】
前記吸い込み管の管路に配置され、前記圧力タンクの内部の圧力状態に従って前記吸い込み管を開放させて前記圧力タンクの外部の気体が前記圧力タンクの内部に供給されるようにして、前記吸い込み管を閉鎖させて前記圧力タンクの内部の気体が前記圧力タンクの外部に放出されることを防止する仕切バルブをさらに含むことを特徴とする請求項２に記載のシャワー。
【請求項４】
前記溶解水供給管の管路に配置され、前記溶解水の流量を調節する供給バルブと、
前記供給バルブを通過した前記溶解水が前記シャワーヘッドに向かう第１経路に配置されて前記溶解水の流速を増加させる流速増加部材と、
前記供給バルブを通過した前記溶解水が前記第１経路と他の第２経路に排出されるようにする溶解水排出管と、
前記第１経路と前記第２経路に会う位置に配置されて前記溶解水の経路を前記第１経路または、前記第２経路に変更させる経路変更バルブと、
をさらに含むことを特徴とする請求項１に記載のシャワー。
【請求項５】
前記用水供給管は、前記給水管により供給される前記用水を供給方向に対して垂直方向に落下させることを特徴とする請求項１に記載のシャワー。
【請求項６】
前記圧力タンクの外部に配置される圧縮ポンプと、
前記圧縮ポンプと前記圧力タンクとを連結して、前記圧縮ポンプにより前記圧力タンクの内部に供給される気体の供給経路を提供する吸い込み管と、
をさらに含むことを特徴とする請求項１に記載のシャワー。
【請求項７】
前記圧力タンクに貯留される前記溶解水の水位を検出するレベルセンサをさらに含むことを特徴とする請求項６に記載のシャワー。
【請求項８】
前記レベルセンサは、
前記溶解水が前記溶解槽の上端を越えない前記溶解水の最大水位を検出して、
前記圧力タンクの内部の気体が前記溶解水供給管を介して放出されない前記溶解水の最低水位を検出することを特徴とする請求項７に記載のシャワー。
【請求項９】
圧力タンクと、
先端部が給水管に直結され、末端部が前記圧力タンクの上端に連結され、用水を前記圧力タンクの内部に噴射させる用水供給管と、
前記圧力タンクの内部に配置され、前記用水供給管により噴射される前記用水に前記圧力タンクの内部の気体を混合して前記用水に前記気体の溶解された溶解水を生成する溶解槽と、
先端部が前記圧力タンクの下端に連結され、前記圧力タンクに貯留された前記溶解水の供給経路を提供する溶解水供給管と、
前記溶解水供給管の末端部に結合される水栓と、
を含むことを特徴とする洗浄装置。
【請求項１０】
前記圧力タンクの外部に配置される圧縮ポンプと、
前記圧縮ポンプと前記圧力タンクを連結して、前記圧縮ポンプにより前記圧力タンクの内部に供給される気体の供給経路を提供する吸い込み管と、
をさらに含むことを特徴とする請求項９に記載の洗浄装置。
【請求項１１】
前記圧力タンクに貯留される前記溶解水の水位を検出するレベルセンサをさらに含むことを特徴とする請求項１０に記載の洗浄装置。
【請求項１２】
前記レベルセンサは、
前記溶解水が前記溶解槽の上端を越えない前記溶解水の最大水位を検出して、
前記圧力タンクの内部の気体が前記溶解水供給管を介して放出されない前記溶解水の最低水位を検出することを特徴とする請求項１１に記載の洗浄装置。
【請求項１３】
前記溶解水供給管の管路に配置され、前記溶解水の流速を増加させる流速増加部材をさらに含むことを特徴とする請求項９に記載の洗浄装置。
【請求項１４】
前記用水供給管は、前記給水管により供給される前記用水を供給方向に対して垂直方向に落下させることを特徴とする請求項９に記載の洗浄装置。
【発明の詳細な説明】
【技術分野】
【０００１】
本発明は、微細気泡を利用した装置に関し、より詳しくは、微細気泡を利用したシャワー及び洗浄装置に関する。
【背景技術】
【０００２】
人の皮膚、食器、野菜などは表面粗さを有しており、水は他の物質に比べて表面張力の大きい物質のうち一つである。
【０００３】
図１は、水と洗浄物表面の接触状態を示した拡大図である。図１を参照すると、水(Ｗ)を利用して洗浄物(１)を洗浄する時には、水(Ｗ)の表面張力により水(Ｗ)が洗浄物(１)表面に残っている汚染物質(１ａ)まで浸透できなくて洗浄効率が落ちる。これに伴い、洗浄効率を高めるために界面活性剤が添加された洗剤を使用する。然しながら、一般的に使われる洗剤には人体に有害な化学成分を含んでいる。
【０００４】
従って、最近には洗剤を使用しない洗浄装置が開発されている。このような洗浄装置には、超音波、遠赤外線、オゾンなどを利用した洗浄装置がある。
【０００５】
超音波洗浄装置は、洗浄容器に、洗浄水と、食器や果物のような洗浄物を入れて、この洗浄容器の底面に超音波を発生させて洗浄水が強く振動してしぶきが発生される原理を利用して洗浄物を洗浄する技術である。然しながら、このような超音波洗浄装置は、洗浄を終えた廃水が洗浄容器に残っていて洗浄物が再汚染されるため、洗浄物を流れる水にもう一度洗わなければならない面倒さがある。
【０００６】
遠赤外線洗浄装置は、有機化合物分子に対する共振及び共鳴作用の強い２５μｍ以上波長の赤外線を利用して洗浄物を洗浄する技術である。遠赤外線洗浄装置は、遠赤外線を発生させるために黄土、ホワイトオークチャコール、竹白炭のような原料を加熱して、このとき、加熱される遠赤外線を利用して洗浄物を洗浄する。然しながら、遠赤外線を発生させるための原料の消費と、この原料を加熱するためのエネルギーの消費が不回避であるため、経済的負担になる問題点がある。
【０００７】
オゾン洗浄装置は、洗浄水の供給時に該当洗浄水にオゾンを溶解させて洗浄水をオゾン水に変換した後、これを洗浄容器に供給して、オゾンが有している強力な酸化力を利用して洗浄物を洗浄する技術である。然しながら、地表面に生成されるオゾンは、人間の健康に有害な大気汚染物質になる問題点がある。
【発明の開示】
【発明が解決しようとする課題】
【０００８】
本発明の目的は、洗浄効率が高く、且つ人体に無害なシャワー用水を使用するシャワーを提供することである。
【０００９】
本発明の他の目的は、洗浄効率が高く、且つ人体に無害な洗浄用水を使用する洗浄装置を提供することである。
【課題を解決するための手段】
【００１０】
シャワーは、圧力タンクと、先端部が給水管に直結され、末端部が前記圧力タンクの上端に連結され、用水を前記圧力タンクの内部に噴射させる用水供給管と、前記圧力タンクの内部に配置され、前記用水供給管により噴射される前記用水に前記圧力タンクの内部の気体を混合して前記用水に前記気体の溶解された溶解水を生成する溶解槽と、先端部が前記圧力タンクの下端に連結され、前記圧力タンクに貯留された前記溶解水の排出経路を提供する溶解水供給管と、前記溶解水供給管の末端部に結合されるシャワーヘッドと、を含む。
【００１１】
洗浄装置は、圧力タンクと、先端部が給水管に直結され、末端部が前記圧力タンクの上端に連結され、用水を前記圧力タンクの内部に噴射させる用水供給管と、前記圧力タンクの内部に配置され、前記用水供給管により噴射される前記用水に前記圧力タンクの内部の気体を混合して前記用水に前記気体の溶解された溶解水を生成する溶解槽と、先端部が前記圧力タンクの下端に連結され、前記圧力タンクに貯留された前記溶解水の排出経路を提供する溶解水供給管と、前記溶解水供給管の末端部に結合される水栓と、を含む。
【発明の効果】
【００１２】
人体に有害な物質を発生させることなく、低い消費電力で清浄効率及び洗浄効率の高いシャワー用水及び洗浄用水を供給することができる。
【発明を実施するための最良の形態】
【００１３】
以下、本実施例に係る微細気泡を利用したシャワーの構成に対して添付図面を参照して詳細に説明する。
【００１４】
まず、説明の便宜のために用水及び溶解水に対する定義をする。用水は、微細気泡を利用したシャワー及び洗浄装置に供給される水である。用水は、宅内に供給される用水だけでなく、一定圧力(例えば、大気圧を１気圧と仮定する時、４気圧以下)が維持されて供給される水を全て含む。溶解水は、気体が用水に溶解されて生成される水である。
【００１５】
図２は、本実施例に係る微細気泡を利用したシャワーを示した斜視図であり、図３は、本実施例に係る微細気泡を利用したシャワーを示した断面図である。図２及び図３を参照すると、微細気泡を利用したシャワー(１００)(以下、シャワー)は、圧力タンク(１１０)、吸い込み管(１２０)、用水供給管(１３０)、溶解槽(１４０)、溶解水供給管(１５０)及びシャワーヘッド(１６０)を含む。
【００１６】
圧力タンク(１１０)は、密閉される内部空間を形成する。吸い込み管(１２０)は、圧力タンク(１１０)の上端に結合される。吸い込み管(１２０)は、圧力タンク(１１０)の外部の気体が圧力タンク(１１０)の内部に供給される経路を提供する。吸い込み管(１２０)の管路には仕切バルブ(１２１)が配置される。仕切バルブ(１２１)は、圧力タンク(１１０)の内部の圧力状態に従って気体の供給如何を取り締まる。仕切バルブ(１２１)は、圧力タンク(１１０)の内部の圧力が大気圧より低い時、吸い込み管(１２０)を開放させ、圧力タンク(１１０)の内部の圧力が大気圧より高い時、吸い込み管(１２０)を閉鎖させるチェックバルブを使用することによって具現可能である。
【００１７】
用水供給管(１３０)は、先端部が用水(Ｗ１)を供給する給水管(未図示)に直結して、末端部が圧力タンク(１１０)の上端に結合される。用水供給管(１３０)は、用水(Ｗ１)の進行方向に対して垂直折曲された形態に備えられる。
【００１８】
溶解槽(１４０)は、圧力タンク(１１０)の内部に配置される。溶解槽(１４０)は、上端が用水供給管(１３０)側に拡大開放される容器形態に備えられて、用水供給管(１３０)と同軸をなすように配置される。溶解槽(１４０)は、上端外周面が圧力タンク(１１０)内周面と離隔され、後述される気泡集合体(Ｂ２)が溶解槽(１４０)からあふれる程度の空間だけを許容することができる程度に離隔されるように備えられる。
【００１９】
溶解水供給管(１５０)は、先端部が圧力タンク(１１０)の下端に結合され、末端部がシャワーヘッド(１６０)に結合される。溶解水供給管(１５０)は、圧力タンク(１１０)に貯留された溶解水(Ｗ２)の供給経路を提供する。溶解水供給管(１５０)の管路には、供給バルブ(１５１)、経路変更バルブ(１５２)、溶解水排出管(１５３)及び流速増加部材(１５４)が配置される。
【００２０】
供給バルブ(１５１)は、溶解水供給管(１５０)の先端部の下流に配置される。供給バルブ(１５１)は、溶解水供給管(１５０)を閉鎖させて圧力タンク(１１０)の内部を密閉させる。供給バルブ(１５１)は、溶解水供給管(１５０)を開放させて圧力タンク(１１０)から溶解水(Ｗ２)が溶解水供給管(１５０)に放出されるようにする。
【００２１】
経路変更バルブ(１５２)は、供給バルブ(１５１)を通過した溶解水(Ｗ２)の経路に配置され、溶解水(Ｗ２)を第１経路、または第２経路に進行させる。即ち、経路変更バルブ(１５２)は、溶解水(Ｗ２)をシャワーヘッド(１６０)、または溶解水排出管(１５３)に案内する。溶解水排出管(１５３)は、溶解水供給管(１５０)の外部に延長されて溶解水(Ｗ２)の排出経路を提供する。このような経路変更バルブ(１５２)としては、３ウェイバルブ(3way valve)を使用することによって具現可能である。
【００２２】
流速増加部材(１５４)は、経路変更バルブ(１５２)の下流に配置される。流速増加部材(１５４)は、シャワーヘッド(１６０)に向かう溶解水(Ｗ２)の流速を急激に増加させる。流速増加部材(１５４)は、先端部から断面積が急激に減り、中央部で最小断面積になり、また、末端部の断面積が緩やかに拡大される形態に備えられて、溶解水(Ｗ２)にせん断力を加えるベンチュリ管(Venturi tube)、またはノズル(nozzle)のうちいずれか一つを使用することによって具現可能である。
【００２３】
シャワーヘッド(１６０)は、ベンチュリ管(１５４)を通過して微細気泡を含む溶解水(Ｗ３)を噴射させる。
【００２４】
以下、本実施例に係る微細気泡を利用したシャワーの作用に対して添付図面を参照して詳細に説明する。図４ないし図６は、本実施例に係る微細気泡を利用したシャワーの作動状態を示した作動図である。
【００２５】
まず、図４を参照すると、圧力タンク(１１０)に用水(Ｗ１)が供給される前、圧力タンク(１１０)の内部の圧力は大気圧より低いことがある。仕切バルブ(１２１)は、吸い込み管(１２０)を開放させて圧力タンク(１１０)外部の気体が圧力タンク(１１０)の内部に吸い込まれるようにする。
【００２６】
給水管(未図示)を介して用水(Ｗ１)が供給され、用水(Ｗ１)は、用水供給管(１３０)に進行する。用水(Ｗ１)は、用水供給管(１３０)の垂直折曲された管壁にぶつかり、用水(Ｗ１)には乱流が発生される。用水(Ｗ１)は、流速が増加されて圧力タンク(１１０)に垂直落下される。このとき、用水(Ｗ１)が圧力タンク(１１０)の内部に供給されることによって圧力タンク(１１０)の内部の圧力は次第に増加して、圧力タンク(１１０)の内部の圧力は大気圧より高まる。仕切バルブ(１２１)は、吸い込み管(１２０)を閉鎖させて圧力タンク(１１０)の内部の気体が圧力タンク(１１０)外部に放出されないようにする。
【００２７】
一方、用水(Ｗ１)は、圧力タンク(１１０)の内部の気体を巻きながら溶解槽(１４０)に落下される。用水(Ｗ１)は、溶解槽(１４０)の内部で気泡(Ｂ１)を発生させる。気泡(Ｂ１)は、浮力により溶解槽(１４０)の内壁に沿って上昇する。また、用水(Ｗ１)が供給され続けることによって気泡(Ｂ１)の量は急激に増える。
【００２８】
次に、図５を参照すると、多量の気泡(Ｂ２)は集められて気泡集合体(Ｂ２)に変化する。気泡集合体(Ｂ２)は、溶解槽(１４０)からあふれて圧力タンク(１１０)の内部に溶解水(Ｗ２)として貯留される。圧力タンク(１１０)内で溶解水(Ｗ２)の水位は次第に上昇する。
【００２９】
溶解水(Ｗ２)の水位上昇と用水(Ｗ１)の供給圧力により圧力タンク(１１０)の内部の気体は一定圧力に圧縮される。また、溶解水(Ｗ２)の水位は、圧力タンク(１１０)の内部の圧力と用水(Ｗ１)の供給圧力が同一に形成される時まで上昇する。このとき、圧力タンク(１１０)の内部の圧力と用水(Ｗ１)の供給圧力が同一に形成される溶解水(Ｗ２)の水位(以下、警戒水位)は、用水(Ｗ１)の供給圧力に従って変更されることができる。即ち、用水(Ｗ１)の供給圧力が高いほど警戒水位は上昇する。一方、用水(Ｗ１)の供給圧力が低いほど警戒水位は下降する。
【００３０】
このように、溶解水(Ｗ２)が警戒水位に達すると、用水(Ｗ１)の供給は中断され、供給バルブ(１５１)は開放される。溶解水(Ｗ２)は、供給バルブ(１５１)を通過して経路変更バルブ(１５２)に達する。経路変更バルブ(１５２)は、溶解水(Ｗ２)をシャワーヘッド(１６０)に案内する。シャワーヘッド(１６０)に進行する溶解水(Ｗ２)は、流速増加部材(１５４)を通過しながら流速が増加される。流速の増加された溶解水(Ｗ２)は、瞬間的に大気圧状態に放出されながら脱気され、微細気泡を生成する。微細気泡を含む溶解水(Ｗ３)は、シャワーヘッド(１６０)を介して噴射される。
【００３１】
シャワーヘッド(１６０)を介して溶解水(Ｗ３)が噴射されると、圧力タンク(１１０)の内部の圧力は次第に減少される。圧力タンク(１１０)の内部の圧力が大気圧以下に落ちると、仕切バルブ(１２１)は、吸い込み管(１２０)を開放させて圧力タンク(１１０)の内部に気体が吸い込まれるようにする。
【００３２】
次に、図６を参照すると、使用者はシャワーを浴びた後、圧力タンク(１１０)の内部に残留する溶解水(Ｗ２)を外部に排出することができる。即ち、使用者は、供給バルブ(１５１)を開放して、経路変更バルブ(１５２)を溶解水排出管(１５３)側に変えて残留する溶解水(Ｗ２)を外部に排出させることができる。
【００３３】
以下、本実施例に係る微細気泡を利用した洗浄装置に対して説明する。図７は、本実施例に係る微細気泡を利用した洗浄装置の設置状態を示した断面図であり、図８は、本実施例に係る微細気泡を利用した洗浄装置を示した斜視図であり、図９は、本実施例に係る微細気泡を利用した洗浄装置を示した断面図である。
【００３４】
図７ないし図９を参照すると、流し台(２０)は、台所で水を汲む、或いは流して食器や食物を洗うことができるようにする台であり、その下部には食器、鍋などをしまい込むことができる収納空間(２１)が備えられる。流し台(２０)には洗浄を終えた廃水を排出するための排水管(２２)が備えられる。
【００３５】
微細気泡を利用した洗浄装置(２００)(以下、洗浄装置)は、圧力タンク(１１０)、圧縮ポンプ(２１０)、レベルセンサ(２２１、２２２)、用水供給管(１３０)、溶解槽(１４０)、溶解水供給管(２３０)及び水栓(２４０)を含む。洗浄装置(２００)は、水栓(２４０)を除いた構成要素が収納空間(２１)に設置されるのが望ましい。これは流し台(２０)の外部で発生されることができる衝撃などの危険要素から洗浄装置(２００)を安全に保護して、流し台(２０)の上側の空間活用度を高めるためである。
【００３６】
洗浄装置(２００)に含まれる圧力タンク(１１０)、用水供給管(１３０)及び溶解槽(１４０)は、前述されたシャワー(１００)に含まれる圧力タンク(１１０)、用水供給管(１３０)及び溶解槽(１４０)とその構成及び作用が類似する。従って、洗浄装置(２００)に含まれる圧力タンク(１１０)、用水供給管(１３０)及び溶解槽(１４０)に対してはシャワー(１００)に含まれる圧力タンク(１１０)、用水供給管(１３０)及び溶解槽(１４０)と同じ参照符号を付与して詳細な説明は省略する。詳細な説明が省略された構成要素に対しては前述された説明を参照して理解することができる。
【００３７】
一方、圧縮ポンプ(２１０)は、圧力タンク(１１０)の外部に配置される。吸い込み管(２１１)は、圧縮ポンプ(２１０)と圧力タンク(１１０)を連結する。吸い込み管(２１１)は、圧縮ポンプ(２１０)により圧力タンク(１１０)の内部に供給される気体の供給経路を提供する。
【００３８】
レベルセンサ(２２１、２２２)は、溶解水(Ｗ２)の上限限界線(Ｌ１)と下限限界線(Ｌ２)上に配置される。上限限界線(Ｌ１)は、圧力タンク(１１０)に貯留される溶解水(Ｗ２)が溶解槽(１４０)に逆流しない溶解水(Ｗ２)の最高水位である。下限限界線(Ｌ２)は、圧力タンク(１１０)の内部の気体が溶解水供給管(２３０)を介して溶解水(Ｗ２)と共に放出されない溶解水(Ｗ２)の最低水位である。
【００３９】
溶解水供給管(２３０)は、末端部が水栓(２４０)に連結される。溶解水供給管(２３０)の末端部には流速増加部材(２３１)が配置される。流速増加部材(２３１)は、水栓(２４０)に向かう溶解水(Ｗ２)の流速を急激に増加させる。
【００４０】
水栓(２４０)は、溶解水供給管(２３０)を開放して微細気泡を含む溶解水(Ｗ３)を流し台(２０)に放出する供給バルブ(２４１)を含む。
【００４１】
以下、本実施例に係る微細気泡を利用した洗浄装置の作用に対して添付図面を参照して詳細に説明する。図１０及び図１１は、本実施例に係る微細気泡を利用した洗浄装置の作動状態を示した作動図である。
【００４２】
まず、図１０を参照すると、圧力タンク(１１０)に用水(Ｗ１)が供給される前、圧力タンク(１１０)の内部は大気圧状態に一定量の気体が存在する。給水管(未図示)を介して用水(Ｗ１)が供給され、用水(Ｗ１)は、用水供給管(１３０)に進行する。用水(Ｗ１)は、用水供給管(１３０)の垂直折曲された管壁にぶつかり、用水(Ｗ１)には乱流が発生される。用水(Ｗ１)は、流速が増加されて圧力タンク(１１０)に垂直落下される。
【００４３】
用水(Ｗ１)は、圧力タンク(１１０)の内部の気体を巻きながら溶解槽(１４０)に落下される。用水(Ｗ１)は、溶解槽(１４０)の内部で気泡(Ｂ１)を発生させる。気泡(Ｂ１)は、浮力により溶解槽(１４０)の内壁に沿って上昇する。また、用水(Ｗ１)が供給され続けることによって気泡(Ｂ１)の量は急激に増える。
【００４４】
次に、図１１を参照すると、多量の気泡(Ｂ１)は集められて気泡集合体(Ｂ２)に変化する。気泡集合体(Ｂ２)は、溶解槽(１４０)からあふれて圧力タンク(１１０)の内部に溶解水(Ｗ２)として貯留される。圧力タンク(１１０)内で溶解水(Ｗ２)の水位は次第に上昇する。溶解水(Ｗ２)の水位上昇と用水(Ｗ１)の供給圧力により圧力タンク(１１０)の内部の気体は、一定圧力に圧縮される。一定量の気体は、溶解効率が向上されて溶解され、溶解水(Ｗ２)の水位は、上限限界線(Ｌ１)に達する。溶解水(Ｗ２)の水位が上限限界線(Ｌ１)に達すると、圧力タンク(１１０)の内部の圧力と用水(Ｗ１)の供給圧力は同一に形成される。
【００４５】
このとき、用水(Ｗ１)の供給は中断され、水栓(２４０)のバルブ(２４１)が開放される。水栓(２４０)に進行する溶解水(Ｗ２)は、流速増加部材(２３１)を通過しながら流速が増加される。流速が増加された溶解水(Ｗ２)は、瞬間的に大気圧状態に放出されながら脱気が起きて、微細気泡を生成する。微細気泡を含む溶解水(Ｗ３)は、水栓(２４０)を介して流し台(２０)に供給される。
【００４６】
一方、溶解水(Ｗ２)が流し台(２０)に供給されることによって圧力タンク(１１０)の内部の圧力は、次第に減少され、圧力タンク(１１０)の内部の気体は、溶解されて次第に減少される。圧縮ポンプ(２１０)は、圧力タンク(１１０)の内部に気体が全て消耗されることを防止するために圧力タンク(１１０)の内部に気体を注入する。
【００４７】
即ち、レベルセンサ(２２１、２２２)は、上限限界線(Ｌ１)に達した溶解水(Ｗ２)の水位を検出する。圧縮ポンプ(２１０)は、吸い込み管(２１１)を介して圧力タンク(１１０)の内部に気体を注入させる。引き続いて、溶解水(Ｗ３)は、流し台(２０)に供給され、レベルセンサ(２２１、２２２)は、下限限界線(Ｌ２)に達した溶解水(Ｗ２)の水位を検出する。圧縮ポンプ(２１０)は、気体の注入を中断する。このように、洗浄装置(２００)は、レベルセンサ(２２１、２２２)により溶解水(Ｗ２)の水位を検出して、圧縮ポンプ(２１０)により圧力タンク(１１０)の内部の気体を注入して洗浄装置(２００)の連続動作を保障する。
【００４８】
図１２は、本実施例に係る微細気泡を利用した洗浄装置により生成された洗浄用水が洗浄物表面に接触された状態を示した拡大図である。図１２を参照すると、水栓(２４０)を介して放出される溶解水(Ｗ３)には微細気泡が多量に含まれる。微細気泡が多量に含まれた溶解水(Ｗ３)は洗浄物(１)の洗浄に使われる。
【００４９】
前述した通り、洗浄物(１)には洗浄物(１)の表面粗さにより汚染物質(１ａ)が残存するようになる。然しながら、溶解水(Ｗ３)に多量に含まれた微細気泡は、溶解水(Ｗ３)の表面張力を破壊させ、洗浄物(１)の表面に残存する汚染物質(１ａ)に浸透される程度に非常に微細であるため、洗浄物(１)に残存する汚染物質(１ａ)を円滑に除去することができるようにする。
【００５０】
このように、洗浄装置(２００)は、用水(Ｗ１)を利用して気体が溶解された溶解水(Ｗ２)を生成させ、溶解水(Ｗ２)に微細気泡を発生させて微細気泡が多量に含まれた溶解水(Ｗ３)を洗浄用水として使用するため、少ない消費電力でも洗浄物(１)の洗浄効率を高めることができる。
【００５１】
このような洗浄装置(２００)により生成される洗浄用水の洗浄効率は、前述されたシャワー(１００)により生成されるシャワー用水の洗浄効率にも類似に適用される。
【００５２】
一方、図示されていないが、他の実施例として、シャワー(１００)は、洗浄装置(２００)に含まれる圧縮ポンプ(２１０)及びレベルセンサ(２１１、２２２)を含むことができる。圧縮ポンプ(２１０)及びレベルセンサ(２１１、２２２)を含むシャワー(１００)は、溶解水(Ｗ２)の水位に従って圧力タンク(１１０)の内部に一定量の気体を供給することができる。シャワー(１００)に圧縮ポンプ(２１０)及びレベルセンサ(２１１、２２２)が含まれる場合には吸い込み管(１２０)の管路に配置される仕切バルブ(１２１)は省略可能である。
【図面の簡単な説明】
【００５３】
【図１】水と洗浄物表面の接触状態を示した拡大図である。
【図２】本実施例に係る微細気泡を利用したシャワーを示した斜視図である。
【図３】本実施例に係る微細気泡を利用したシャワーを示した断面図である。
【図４】本実施例に係る微細気泡を利用したシャワーの作動状態を示した作動図である。
【図５】本実施例に係る微細気泡を利用したシャワーの作動状態を示した作動図である。
【図６】本実施例に係る微細気泡を利用したシャワーの作動状態を示した作動図である。
【図７】本実施例に係る微細気泡を利用した洗浄装置の設置状態を示した断面図である。
【図８】本実施例に係る微細気泡を利用した洗浄装置を示した斜視図である。
【図９】本実施例に係る微細気泡を利用した洗浄装置を示した断面図である。
【図１０】本実施例に係る微細気泡を利用した洗浄装置の作動状態を示した作動図である。
【図１１】本実施例に係る微細気泡を利用した洗浄装置の作動状態を示した作動図である。
【図１２】本実施例に係る微細気泡を利用した洗浄装置により生成された洗浄用水が洗浄物表面に接触された状態を示した拡大図である。
【符号の説明】
【００５４】
１００  微細気泡を利用したシャワー
１１０  圧力タンク
１２０  吸い込み管
１３０  用水供給管
１４０  溶解槽
１５０  溶解水供給管
１６０  シャワーヘッド
２００  微細気泡を利用した洗浄装置
２１０  圧縮ポンプ
２２１、２２２  レベルセンサ
２４０  水栓
【図１】
2010533582.tif 000003
【図２】
2010533582.tif 000004
【図３】
2010533582.tif 000005
【図４】
2010533582.tif 000006
【図５】
2010533582.tif 000007
【図６】
2010533582.tif 000008
【図７】
2010533582.tif 000009
【図８】
2010533582.tif 000010
【図９】
2010533582.tif 000011
【図１０】
2010533582.tif 000012
【図１１】
2010533582.tif 000013
【図１２】
2010533582.tif 000014
【国際調査報告】
2010533582.tif 000015
2010533582.tif 000016